(57)【要約】      （修正有）【課題】ＨＤＭＩ（登録商標）−ＣＥＣ機能をもつテレビ装置との連携により火災警報機能を強化して利用者による迅速且つ適切な対応を可能とする警報システムを提供する。【解決手段】無線式連動型の住警器１０−１〜１０−５は火災を検出した場合に連動元を示す火災警報を出力すると共に他の住警器に火災連動信号を無線送信して連動先を示す火災警報を出力させる。住警器アダプタ１６は住警器１０−１〜１０−５の何れかからの火災連動信号を受信した場合、予め記憶された火災警報コンテンツを読み出し、ＨＤＭＩ伝送路により火災警報コンテンツをテレビ装置１４に転送し、火災警報コンテンツを映像と音声により再生させる。【選択図】図１
2019061351.tif 000002
【特許請求の範囲】
【請求項１】
警戒区域の火災を検出して警報する火災警報器と、
前記火災警報器からの火災検出信号を受信した場合、予め記憶された火災警報コンテンツを読み出してＨＤＭＩ伝送路に転送するアダプタ装置と、
前記アダプタ装置が前記ＨＤＭＩ伝送路を介してＨＤＭＩ端子に接続され、前記アダプタ装置から送信された前記火災警報コンテンツを受信して前記火災警報コンテンツを再生する表示装置と、
が設けられたことを特徴とする警報システム。
【請求項２】
請求項１記載の警報システムに於いて、
前記アダプタ装置は、前記火災検出信号を受信した場合に、ワンタッチプレイのＣＥＣコマンドを前記表示装置に送信し、
前記表示装置は、前記アダプタ装置から前記ワンタッチプレイのＣＥＣコマンドを受信した場合に、前記アダプタ装置から前記シンク装置に至る前記ＨＤＭＩ伝送路による転送経路を確定させて前記火災警報コンテンツを転送させることを特徴とする警報システム。
【請求項３】
請求項１記載の警報システムに於いて、
前記表示装置は、前記アダプタ装置から前記ワンタッチプレイのＣＥＣコマンドを受信した場合、自己の電源がオフの場合は前記電源をオンし、他のＨＤＭＩ端子に接続されたプレーヤー装置から転送されたコンテンツを受信再生している場合は、前記プレーヤー装置からの前記コンテンツの受信再生を停止して前記アダプタ装置からの前記火災警報コンテンツの受信再生に切り替えることを特徴とする警報システム。
【請求項４】
請求項１記載の警報システムに於いて、前記火災警報器は表示と音声により火災警報を出力し、予め前記音声による火災警報の出力を禁止する設定を可能としたことを特徴とする警報システム。
【請求項５】
請求項１記載の警報システムに於いて、
前記火災警報器は火災を検出した場合に連動元を示す火災警報を出力すると共に他の火災警報器に火災連動信号を無線送信して連動先を示す火災警報を出力させる連動型火災警報器であり、
前記アダプタ装置は、前記複数の連動型火災警報器の何れかから火災連動信号を受信した場合に、前記火災警報コンテンツを前記表示装置に転送して再生出力させることを特徴とする警報システム。
【請求項６】
請求項５記載の警報システムに於いて、
前記連動型火災警報器は、連動元又は連動先を示す火災警報の出力中に警報停止操作を検出した場合に前記火災警報を停止すると共に警報停止連動信号を他の連動型火災警報器に送信して火災警報を停止させ、
前記アダプタ装置は、前記複数の連動型火災警報器の何れかから前記警報停止連動信号を受信した場合に、予め記憶された所定の警報停止コンテンツを読み出して前記表示装置に転送して再生させることを特徴とする警報システム。
【請求項７】
請求項５記載の警報システムに於いて、
前記連動型火災警報器は、連動元を示す火災警報の出力中に火災復旧を検出した場合に、前記火災警報を停止すると共に火災復旧連動信号を他の連動型火災警報器に送信して火災警報を停止させ、
前記アダプタ装置は、前記複数の連動型火災警報器の何れかから前記火災復旧連動信号を受信した場合に、予め記憶された所定の火災復旧コンテンツを読み出して前記表示装置に転送して再生させることを特徴とする警報システム。
【請求項８】
請求項５記載の警報システムに於いて、
前記連動型火災警報器は、所定の障害を検出した場合に、連動元を示す障害警報を出力すると共に障害連動信号を他の連動型火災警報器に送信して連動先を示す障害警報を出力させ、
前記アダプタ装置は、前記複数の連動型火災警報器の何れかから前記障害連動信号を受信した場合に、予め記憶された所定の障害警報コンテンツを読み出して前記表示装置に転送して再生させることを特徴とする警報システム。
【請求項９】
請求項８記載の警報システムに於いて、
前記連動型火災警報器は、前記障害として電池切れ、通信テスト異常又は警報器故障を検出した場合に、連動元を示す電池切れ警報、通信テスト異常警報又は機器故障警報を出力すると共に電池切れ連動信号、通信テスト異常連動信号又は機器故障連動信号を他の連動型火災警報器に送信して連動先を示す電池切れ警報、通信テスト異常警報又は機器故障警報を出力させ、
前記アダプタ装置は、前記複数の連動型火災警報器の何れかから前記電池切れ連動信号、前記通信テスト異常連動信号又は前記機器故障連動信号を受信した場合に、予め記憶された所定の電池切れ警報コンテンツ、通信テスト異常コンテンツ又は機器故障警報コンテンツを読み出して前記表示装置に転送して再生させることを特徴とする警報システム。
【請求項１０】
請求項１記載の警報システムに於いて、
前記表示装置の前記ＨＤＭＩ端子に、少なくとも２入力１出力のＨＤＭＩ切替器を介して前記アダプタ装置が接続されたことを特徴とする警報システム。
【発明の詳細な説明】
【技術分野】
【０００１】
本発明は、火災警報器とＨＤＭＩ（登録商標）−ＣＥＣ機能をもつテレビ装置を連携させた警報システムに関する。
【背景技術】
【０００２】
従来、住宅における火災を検出して警報する警報器が普及している。このうち、住宅用火災警報器を住警器と言う。
【０００３】
このような住警器にあっては、住警器内にセンサ部と警報部を一体に備え、火災を検出すると火災警報を出すようにしており、住警器単体で火災監視と警報ができることから、設置が簡単でコスト的にも安価であり、一般住宅での設置義務化に伴い広く普及している。
【０００４】
また、住警器を無線式連動型として複数の住警器により連動グループを形成し、任意の住警器で火災が検出されて連動元を示す警報音が出力されると火災連動信号が送信され、他の住警器からも連動して連動先を示す警報音が出力されるようにした警報システムも実用化され、普及している。
【０００５】
このような無線連動型の警報システムにあっては、ある住警器で火災を検出した場合、火災を検出した連動元の住警器は、例えば「ウーウー  火事です  火事です」との音声メッセージを出力し、一方、連動先の住警器では「ウーウー別の火災警報器が作動しました  確認してください」という音声メッセージを出力するようにしている。また、連動元の住警器の動作表示灯は点灯とし、連動先の住警器の動作表示灯は点滅とし、動作表示灯の表示からも連動元か連動先かが区別できるようにしている。
【０００６】
また、火災警報の出力中に住警器のテストスイッチを操作すると火災警報を停止することができ、このとき他の住警器に警報停止連動信号が送信されて火災警報が連動して停止される。
【０００７】
また、住警器が火災以外の要因により火災警報を出力された場合には、火災警報中に火災が復旧する場合があり、この場合にも火災警報を停止すると共に他の住警器に火災復旧連動信号を送信して火災警報が連動して停止される。
【０００８】
更に、住警器は、電池切れ、通信テスト異常、機器故障等の障害を検出した場合には、電池切れ警報、通信テスト異常警報、機器故障警報を出力すると共に、それぞれに対応した障害連動信号を他の住警器に送信して障害警報を出力させようにしている。
【０００９】
このような住警器の警報機能は、連動機能をもたないスタンドアロン型の火災警報器についても、火災警報、警報停止、火災復旧、電池切れと機器故障の障害警報を同様に出力するにようにしている。
【先行技術文献】
【特許文献】
【００１０】
【特許文献１】特開２０１１−１１３１１４号公報
【特許文献２】特開２０１４−２２５０５５号公報
【特許文献３】特開２０１５−０８７８８５号公報
【発明の概要】
【発明が解決しようとする課題】
【００１１】
ところで、このような従来の警報システムに設けられた住警器にあっては、警報器のスピーカによる音声警報と動作表示灯による警報表示による警報出力にかぎられており、例えば、火災警報が出力された場合には、火元を確認し、火災の場合は迅速に１１９番通報を行って避難することが求められ、このような火災警報が出力された場合の対応は、警報器を購入した場合についている取扱説明書等に記載して利用者に読んでもらうようにしている。
【００１２】
しかしながら、火災警報が出力された緊急を要する状況のもとで、利用者が取扱説明書に従った行動をとることは困難であり、そのときの利用者の判断に対応をゆだねており、火元の確認や１１９番通報に手間取ったり、避難が遅れることが想定される。
【００１３】
また、警報器の障害警報についても、例えば電池切れ警報が出された場合には、利用者による電池交換が必要になるが、電池交換の方法は取扱説明書を見ても分かりにくい場合があり、電池交換が行われずに放置され、電池器切れにより住警器の火災監視機能が失われてしまう問題がある。
【００１４】
本発明は、一般家庭のほとんど全てに設置されているＨＤＭＩ−ＣＥＣ機能をもつテレビ装置との連携により火災警報機能を強化して利用者による迅速且つ適切な対応を可能とする警報システムを提供することを目的とする。なお、ＨＤＭＩは登録商標であるが、以下、登録商標である点の表記は省略する。
【課題を解決するための手段】
【００１５】
（警報システム）
本発明は、警報システムに於いて、
警戒区域の火災を検出して警報する火災警報器と、
火災警報器からの火災検出信号を受信した場合、予め記憶された火災警報コンテンツを読み出してＨＤＭＩ伝送路に転送するアダプタ装置と、
アダプタ装置がＨＤＭＩ伝送路を介してＨＤＭＩ端子に接続され、アダプタ装置から転送された火災警報コンテンツを受信して再生する表示装置と、
が設けられたことを特徴とする。
【００１６】
（ワンタッチプレイ）
アダプタ装置は、火災検出信号を受信した場合に、ワンタッチプレイのＣＥＣコマンドを表示装置に送信し、
表示装置は、アダプタ装置からワンタッチプレイのＣＥＣコマンドを受信した場合に、アダプタ装置からシンク装置に至るＨＤＭＩ伝送路による転送経路を確定させて火災警報コンテンツを転送させる。
【００１７】
（電源制御とソース切替制御）
表示装置は、アダプタ装置からワンタッチプレイのＣＥＣコマンドを受信した場合、自己の電源がオフの場合は電源をオンし、他のＨＤＭＩ端子に接続されたプレーヤー装置から転送されたコンテンツを受信再生している場合は、プレーヤー装置からのコンテンツの受信再生を停止してアダプタ装置からの火災警報コンテンツの受信再生に切り替える。
【００１８】
（火災警報器の音声警報の停止）
火災警報器は表示と音声により火災警報を出力し、予め音声による火災警報の出力を禁止する設定を可能とする。
【００１９】
（連動型火災警報器）
火災警報器は火災を検出した場合に連動元を示す火災警報を出力すると共に他の火災警報器に火災連動信号を無線送信して連動先を示す火災警報を出力させる連動型火災警報器であり、
アダプタ装置は、複数の連動型火災警報器の何れかから火災連動信号を受信した場合に、火災警報コンテンツを表示装置に転送して再生出力させる。
【００２０】
（警報停止）
連動型火災警報器は、連動元又は連動先を示す火災警報の出力中に警報停止操作を検出した場合に火災警報を停止すると共に警報停止連動信号を他の連動型火災警報器に送信して火災警報を停止させ、
アダプタ装置は、複数の連動型火災警報器の何れかから警報停止連動信号を受信した場合に、予め記憶された所定の警報停止コンテンツを読み出して表示装置に転送して再生させる。
【００２１】
（火災復旧）
連動型火災警報器は、連動元を示す火災警報の出力中に火災復旧を検出した場合に、火災警報を停止すると共に火災復旧連動信号を他の連動型火災警報器に送信して火災警報を停止させ、
アダプタ装置は、複数の連動型火災警報器の何れかから火災復旧連動信号を受信した場合に、予め記憶された所定の火災復旧コンテンツを読み出して表示装置に転送して再生させる。
【００２２】
（障害検出）
連動型火災警報器は、所定の障害を検出した場合に、連動元を示す障害警報を出力すると共に障害連動信号を他の連動型火災警報器に送信して連動先を示す障害警報を出力させ、
アダプタ装置は、複数の連動型火災警報器の何れかから障害連動信号を受信した場合に、予め記憶された所定の障害警報コンテンツを読み出して表示装置に転送して再生させる。
【００２３】
（障害検出の種別）
連動型火災警報器は、障害として電池切れ、通信テスト異常又は警報器故障を検出した場合に、連動元を示す電池切れ警報、通信テスト異常警報又は機器故障警報を出力すると共に電池切れ連動信号、通信テスト異常連動信号又は機器故障連動信号を他の連動型火災警報器に送信して連動先を示す電池切れ警報、通信テスト異常警報又は機器故障警報を出力させ、
アダプタ装置は、複数の連動型火災警報器の何れかから電池切れ連動信号、通信テスト異常連動信号又は機器故障連動信号を受信した場合に、予め記憶された所定の電池切れ警報コンテンツ、通信テスト異常コンテンツ又は機器故障警報コンテンツを読み出して表示装置に転送して再生させる。
【００２４】
（ＨＤＭＩ切替器）
表示装置のＨＤＭＩ端子に、少なくとも２入力１出力のＨＤＭＩ切替器を介してアダプタ装置が接続される。
【発明の効果】
【００２５】
（基本的な効果）
本発明は、警報システムに於いて、警戒区域の火災を検出して警報する火災警報器と、火災警報器からの火災検出信号を受信した場合、予め記憶された火災警報コンテンツを読み出してＨＤＭＩ伝送路に転送するアダプタ装置と、アダプタ装置がＨＤＭＩ伝送路を介してＨＤＭＩ端子に接続され、アダプタ装置から転送された火災警報コンテンツを受信して再生する表示装置とが設けられたため、火災検出器で火災を検出した場合に、アダプタ装置に予め記憶した火災警報コンテンツを読み出してテレビ装置等の表示装置の画面に火災警報の静止画像や動画画像で表示すると共に音声メッセージをスピーカから出力されることとなり、これにより従来の火災警報器のスピーカと動作表示灯とによる警報出力に比べ利用者に対する火災警報の伝達が各段に強化され、例えば、火災が発生したことに加えて、火元の確認や１１９番通報と避難といった従来取扱説明書に記載していた対処方法等を火災警報の内容としてリアルタイムで利用者に伝えることができ、火災警報が出された場合に、利用者は、落ち着いて火元を確認し、火災であった場合は１１９番通報をした後に速やかに避難するといった適切な行動を迅速にとることが可能となる。
【００２６】
（ワンタッチプレイによる効果）
また、アダプタ装置は、火災検出信号を受信した場合に、ワンタッチプレイのＣＥＣコマンドを表示装置に送信し、表示装置は、アダプタ装置からワンタッチプレイのＣＥＣコマンドを受信した場合に、アダプタ装置からシンク装置に至るＨＤＭＩ伝送路による転送経路を確定させて火災警報コンテンツを転送させるようにしたため、ＨＤＭＩ−ＣＥＣ機能の共通コマンドとして準備されている「ワンタッチプレイ」を利用することで、例えば、ＨＤＭＩ−ＣＥＣ機能に対応したソース機器として表示装置のＨＤＭＩ端子に接続されたＤＶＤプレーヤー等の再生ボタン操作に連動して表示装置の電源が自動的に入ってＤＶＤプレーヤーに切り替わると同様に、表示装置の電源が自動的に入ってアダプタ装置からの再生に切り替わり、アダプタ装置から火災警報コンテンツを表示装置に自動的に転送して再生させることができる。
【００２７】
（電源制御とソース切替制御による効果）
また、表示装置は、アダプタ装置からワンタッチプレイのＣＥＣコマンドを受信した場合、自己の電源がオフの場合は電源をオンし、他のＨＤＭＩ端子に接続されたプレーヤー装置から転送されたコンテンツを受信再生している場合は、プレーヤー装置からのコンテンツの受信再生を停止してアダプタ装置からの火災警報コンテンツの受信再生に切り替えるようにしたため、アダプタ装置からのワンタッチプレイのＣＥＣコマンドを受信してＨＤＭＩ−ＣＥＣ機能の共通コマンドである「ワンタッチプレイ」を受信した表示装置は、もし電源が入っていなければ自動的に電源をオンし、また、別のＨＤＭＩ端子に接続しているＤＶＤプレーヤー等の再生中であれば、ＤＶＤプレーヤー等の再生を停止してアダプタ装置からのＨＤＭＩストリームの受信再生に自動的に切り替わり、この結果、表示装置は火災警報器で火災を検出した場合の表示装置の利用状態に関わらず火災警報動作が優先的に行なうことができる。
【００２８】
（火災警報器の音声警報の停止による効果）
また、火災警報器は表示と音声により火災警報を出力し、予め音声による火災警報の出力を禁止する設定を可能としたため、アダプタ装置をＨＤＭＩ端子に接続した表示装置が設置された居間等の部屋に設置する火災警報器については、警報音出力の禁止を予め設定しておくことができ、火災警報器から出力される警報音と表示装置から出力される警報メッセージ音の重複による聞き取りづらさを解消することができる。
【００２９】
（連動型火災警報器による効果）
また、火災警報器は火災を検出した場合に連動元を示す火災警報を出力すると共に他の火災警報器に火災連動信号を無線送信して連動先を示す火災警報を出力させる連動型火災警報器であり、アダプタ装置は、複数の連動型火災警報器の何れかから火災連動信号を受信した場合に、火災警報コンテンツを表示装置に転送して再生出力させるようにしたため、住宅内の各部屋に連動型火災警報器を設置して連動型の警報システムとした場合、何れかの連動型警報器による火災検出で送信される火災連動信号をアダプタ装置で受信して火災警報コンテンツを読み出し、警報停止コンテンツを表示装置に転送して再生させることで火災警報機能を強化することができ、例えば、火災警報コンテンツに火災を検出した連動型警報器が設置された部屋名を含めておくことで、火元の確認を迅速且つ適切に行うこと等を可能とする。
【００３０】
（警報停止による効果）
また、連動型火災警報器は、連動元又は連動先を示す火災警報の出力中に警報停止操作を検出した場合に火災警報を停止すると共に警報停止連動信号を他の連動型火災警報器に送信して火災警報を停止させ、アダプタ装置は、複数の連動型火災警報器の何れかから警報停止連動信号を受信した場合に、予め記憶された所定の警報停止コンテンツを読み出して警報停止コンテンツを表示装置に転送して再生させるようにしたため、火災警報中に警報停止操作が行われると、表示装置に警報停止操作が行われたことを示す警報停止コンテンツが再生され、警報停止操作の状況を容易に把握可能とする。
【００３１】
（火災復旧による効果）
また、連動型火災警報器は、連動元を示す火災警報の出力中に火災復旧を検出した場合に、火災警報を停止すると共に火災復旧連動信号を他の連動型火災警報器に送信して火災警報を停止させ、アダプタ装置は、複数の連動型火災警報器の何れかから火災復旧連動信号を受信した場合に、予め記憶された所定の火災復旧コンテンツを読み出して表示装置に転送して再生させるようにしたため、調理に伴う煙や水蒸気等の火災以外の要因で火災警報が出された場合、時間が経過すると火災要因がなくなって火災復旧となることから、火災復旧コンテンツにより火災でないことを示し、また、非火災要因を解消するための部屋の換気等の対応を示すことで、非火災報に対し利用者に火災復旧を示した安心させると共に、非火災報となった要因を解消するための換気等のガイダンスを示すことで、利用者による迅速且つ適切な判断と行動を可能とする。
【００３２】
（障害検出）
また、連動型火災警報器は、所定の障害を検出した場合に、連動元を示す障害警報を出力すると共に障害連動信号を他の連動型火災警報器に送信して連動先を示す障害警報を出力させ、アダプタ装置は、複数の連動型火災警報器の何れかから障害連動信号を受信した場合に、予め記憶された所定の障害警報コンテンツを読み出して表示装置に転送して再生させ、具体的には、連動型火災警報器は、障害として電池切れ、通信テスト異常又は警報器故障を検出した場合に、連動元を示す電池切れ警報、通信テスト異常警報又は機器故障警報を出力すると共に電池切れ連動信号、通信テスト異常連動信号又は機器故障連動信号を他の連動型火災警報器に送信して連動先を示す電池切れ警報、通信テスト異常警報又は機器故障警報を出力させ、アダプタ装置は、複数の連動型火災警報器の何れかから電池切れ連動信号、通信テスト異常連動信号又は機器故障連動信号を受信した場合に、予め記憶された所定の電池切れ警報コンテンツ、通信テスト異常コンテンツ又は機器故障警報コンテンツを読み出して表示装置に転送して再生させるようにしたため、表示装置による障害警報コンテンツの再生により、障害内容が電池切れか、通信テスト異常か、機器故障かが簡単且つ容易に分かり、障害の種別に応じた対応方法を必要があれば動画コンテンツを再生して示すことで、障害の種別に応じて異なる対応方法を例えば動画再生で行なえば、例えば電池切れに対する電池交換の方法を具体的に理解して簡単且つ容易に対応することが可能となる。
【００３３】
（ＨＤＭＩ切替器の効果）
また、表示装置のＨＤＭＩ端子に、少なくとも２入力１出力のＨＤＭＩ切替器を介してアダプタ装置が接続されるようにしたため、表示装置の記録デバイスの論理アドレスは４番、８番、１１番の３アドレスしか割り当てられておらず、アダプタ装置を含めて最大３台までしかプレーヤー装置を表示装置のＨＤＭＩ端子に接続できず、プレーヤー装置３台に加えてアダプタ１台を接続する場合には、例えば２入力１出力のＨＤＭＩ切替器の１出力のＨＤＭＩ端子を表示装置のＨＤＭＩ端子に接続し、ＨＤＭＩ切替器の２入力の一方のＨＤＭＩ端子に３台目のプレーヤー装置を接続すると共にＨＤＭＩ切替器の２入力の一方のＨＤＭＩ端子にアダプタ装置を接続することで、アダプタ装置からのコンテンツをＨＤＭＩ切替器を介して表示装置に転送して火災警報コンテンツを再生することができる。
【図面の簡単な説明】
【００３４】
【図１】警報システムの概略を示した説明図
【図２】住警器の外観を示したブロック図
【図３】住警器の機能構成を示したブロック図
【図４】住警器アダプタの機能構成を示したブロック図
【図５】テレビ装置の機能構成を示したブロック図
【図６】テレビ装置、住警アダプタ、プレーヤー装置の物理アドレスの設定を示した説明図
【図７】テレビ装置に表示される火災警報画面を示した説明図
【図８】テレビ装置に表示される警報停止画面を示した説明図
【図９】テレビ装置に表示される火災復旧画面を示した説明図
【図１０】テレビ装置に表示される電池切れ警報画面を示した説明図
【図１１】テレビ装置に表示される通信テスト異常画面を示した説明図
【図１２】テレビ装置に表示される機器故障警報画面を示した説明図
【図１３】住警器アダプタの制御動作を示したフローチャート
【図１４】テレビ装置の制御動作を示したフローチャート
【図１５】ＨＤＭＩ切替器を用いた警報システムの概略を示した説明図
【図１６】ＨＤＭＩ切替器の機能構成をテレビ装置と共に示したブロック図
【図１７】テレビ装置、ＨＤＭＩ切替器、住警アダプタ、プレーヤー装置の物理アドレスの設定を示した説明図
【発明を実施するための形態】
【００３５】
［警報システムの概要］
図１は本発明の警報システムの概略を示した説明図であり、住宅に設置される無線連動型の住警器（住宅用火災警報器）により構成される警報システムを例にとっている。
【００３６】
図１の例にあっては、住宅１２の台所、居間、子供部屋１、子供部屋２、主寝室のそれぞれに、火災を検出して警報する住警器１０−１〜１０−５が設置されている。住警器１０−１〜１０−５は、火災等の連動信号を無線により相互に送受信する機能を備え、住宅全体の火災監視を行っている。また。住警器１０−１〜１０−５は、同じチャンネル周波数を使用することにより連動グループを形成している。本実施形態で連動グループを形成する住警器の最大数は例えば１５台となる。また、以下の説明で住警器１０−１〜１０−５を区別する必要がない場合は、住警器１０という場合がある。
【００３７】
住宅１２の居間には、表示装置として機能する例えばテレビ装置１４が設置され、テレビ装置１４はＨＤＭＩ−ＣＥＣ規格におけるシンクとして機能し、テレビ装置１４には３つのＨＤＭＩ端子が設けられ、最大で３台のソースとして機能する再生デバイス又は再生記録デバイスの接続を可能としている。
【００３８】
本実施形態にあっては、テレビ装置１４のＨＤＭＩ端子の一つにはアダプタ装置として機能する住警器アダプタ１６を接続し、残り２つのＨＤＭＩ端子にＤＶＤプレーヤー、ＣＤプレーヤー等のプレーヤー装置１８−１，１８−２を接続している。
【００３９】
住警器アダプタ１６は、住警器１０−１〜１０−５の何れかから火災連動信号を受信した場合、予め記憶された火災警報コンテンツを読み出してＨＤＭＩストリームをテレビ装置１４に転送し、テレビ装置１４に所定の火災警報コンテンツを画像と音声により再生させる。
【００４０】
いま、住宅１２の子供部屋１で火災が発生したとすると、住警器１０−３が火災を検出し、警報音と警報表示により連動元を示す火災警報を出力する。この場合、連動元を示す火災警報は、例えば「ウー  ウー  火事です  火事です」とする音声メッセージを出力すると共に動作表示灯を点灯させる。
【００４１】
また火災を検出した住警器１０−３は他の住警器１０−１、１０−２，１０−４，１０−５に対し、火災発生を示す火災連動信号を無線により送信する。他の住警器１０−１、１０−２，１０−４，１０−５は連動元の住警器１０−３からの火災連動信号を受信した場合に、警報音と警報表示により連動先を示す火災警報を出力する。この場合の連動先を示す火災警報は、例えば「ウー  ウー  火事です  火事です  別の警報器が作動しました」とする音声メッセージを出力すると共に動作表示灯を点滅させる。
【００４２】
住警器１０−３から送信された火災連動信号は住警器アダプタ１６でも受信される。住警器アダプタ１６は、ＨＤＭＩ−ＣＥＣ規格におけるワンタッチプレイのＣＥＣコマンドをテレビ装置１４に送ることで転送経路を確立し、予め記憶された火災警報コンテンツを読み出し、ＨＤＭＩストリームとしてテレビ装置１４に送信する。住警器アダプタ１６からの火災警報コンテンツを受信したテレビ装置１４は画面表示と音声出力により火災警報コンテンツを再生出力させる。
【００４３】
住警器１０−３は火災警報の出力中に警報停止操作を行うと、自身の警報を停止すると共に警報停止連動信号を他の住警器に送信して警報停止動作を行わせる。また、火災を検出した住警器１０−３で火災復旧が検出されると、自身の警報を停止すると共に火災復旧連動信号を他の住警器に送信して警報停止動作を行わせる。
【００４４】
このとき住警器アダプタ１６も警報停止連動信号を受信し、予め記憶された所定の警報停止コンテンツを読み出し、ＨＤＭＩストリームとしてテレビ装置１４に転送して再生させる。
【００４５】
また住警器１０−１〜１０−５は、障害として電池切れ、通信テスト異常又は警報器故障を検出した場合に、連動元を示す電池切れ警報、通信テスト異常警報又は機器故障警報を出力すると共に電池切れ連動信号、通信テスト異常連動信号又は機器故障連動信号を他の住警器に送信して連動先を示す電池切れ警報、通信テスト異常警報又は機器故障警報を出力さる。
【００４６】
このとき住警器アダプタ１６も電池切れ連動信号、通信テスト異常連動信号又は機器故障連動信号を受信し、予め記憶された所定の電池切れ警報コンテンツ、通信テスト異常コンテンツ又は機器故障警報コンテンツを読み出し、各々ＨＤＭＩストリームとしてテレビ装置１４に転送して再生させる。
【００４７】
ここで、居間には住警器１０−１とテレビ装置１４の両方が設置され、それぞれから火災警報や障害警報が出力されることから、住警器１０−１については、予め音声警報の出力禁止を設定している。このため居間の住警器１０−１からは火災警報や障害警報の音声メッセージは出力されず、テレビ装置１４から再生出力される音声警報を明瞭に聞き取ることができる。
【００４８】
図２は無線式の住警器の外観を示した説明図であり、図２（Ａ）に正面図を示し、図２（Ｂ）に側面図を示している。
【００４９】
図２に示すように、住警器１０は本体１９とカバー２０で構成され、カバー２０の中央には煙流入口を開口し、内部には検煙部２８が配置され、火災による煙が所定濃度に達したときに火災を検出する。カバー２０の左下側には音響孔２６が設けられ、この背後にスピーカを内蔵し、警報音や音声メッセージを出力できるようにしている。
【００５０】
検煙部２８の下側にはテストスイッチ２２が設けられている。テストスイッチ２２は住警器の警報停止を指示するテストスイッチとしての機能を兼ねており、火災警報時にテストスイッチ２２が操作されると警報を停止し、通常状態でテストスイッチ２２が操作されると機能点検を開始して結果を報知する。更に、テストスイッチ２２を長押し操作すると通信テストが行われる。テストスイッチ２２の内部には、点線で示すように警報表示を行うＬＥＤを用いた動作表示灯２４が配置され、テストスイッチ２２を介して内部の動作表示灯２４の点灯、点滅等を視認可能としている。
【００５１】
［住警器の機能構成］
（機能構成の概要）
図３は住警器の機能構成を示したブロック図である。図３に示すように、住警器１０はプロセッサ３０を備え、プロセッサ３０に対しては検煙部２８、テストスイッチ２２、動作表示灯２４、スピーカ３６及びアンテナ３４を接続した通信部３２が設けられ、図示しない電池電源で動作し、１０年を超える電池寿命が保証されている。
【００５２】
プロセッサ３０には、ＣＰＵ３８が設けられ、ＣＰＵ３８からのバス４８に、制御ロジック４０、ＲＯＭ４２、ＲＡＭ４４が接続されている。なお、制御ロジック４０はＣＰＵ３８の制御処理に伴うバス制御などの各種のハードウェア機能を実現する。
【００５３】
検煙部２８は、公知の散乱光式検煙構造をもち、所定周期で赤外ＬＥＤを用いた発光部を間欠的に発光駆動し、フォトダイオードなどの受光部で受光した散乱光の受光信号を増幅し、煙濃度検出信号を出力する。なお、検煙部２８に代えて温度検出部を設ける場合もあり、温度検出部は、温度検出素子として例えばサーミスタを使用し、この場合、温度による抵抗値の変化に対応した電圧信号となる温度検出信号を出力する。
【００５４】
通信部３２は、他の住警器との間で所定の通信プロトコルに従って火災等の連動信号を送受信する。この通信プロトコルは、日本国内の場合には、例えば４２６ＭＨｚ帯の特定小電力無線局の標準規格として知られたＳＴＤ−３０（特定小電力セキュリティシステム無線局の無線設備標準規格）に準拠する。
【００５５】
４２６ＭＨｚ帯の特定小電力セキュリティシステム無線局設備では、４２６．２５００ＭＨｚ〜４２６．８３７５ＭＨｚの間に１２．５ｋＨｚの周波数帯域幅を持つ４８チャンネルが割り当てられており、何れかのチャンネル周波数を複数の住警器で構成する連動グループに割り当てて使用する。
【００５６】
通信部３２はプロセッサ３０から出力された火災連動信号等のデータ信号をＭＳＫ変調した後にＦＭ変調してアンテナ３４から４２６ＭＨｚ帯の割当チャンネル周波数の信号電波として送信し、また、他の住警器が送信した信号電波を受信し、ＦＭ復調した後に、ＦＳＫ復調を行い、更にビット判定を行って火災連動信号等のデータ信号を復調する。
【００５７】
（火災制御機能）
ＣＰＵ３８にはプログラムの実行により実現される火災制御部４６の機能が設けられ、火災制御部４６の制御機能は次のようになる。火災制御部４６は、検煙部２８から出力された煙濃度の検出信号をＡＤ変換して読み込み、煙濃度が所定の閾値以上の場合に火災を検出し、連動元の火災を示す火災警報を出力させる制御を行う。
【００５８】
火災制御部４６は、火災警報を出力させた場合、火災連動信号を生成し、通信部３２に指示し、他の住戸の住警器へ火災連動信号を送信させる制御を行い、当該火災連動信号を受信した他の住戸の住警器で連動先を示す火災警報を出力させる。
【００５９】
また、火災制御部４６は、同じ連動グループとなる住戸内の他の住警器が送信した火災連動信号を受信した場合、連動先を示す火災を出力させる制御を行う。
【００６０】
また、火災制御部４６は、テストスイッチ２２の操作による警報停止制御、検煙部の煙濃度が閾値以下に下がる火災復旧制御についても、火災連動信号の場合と同様に、警報停止連動信号及び火災復旧連動信号の送信を行う。
【００６１】
また、火災制御部４６は、例えば７２時間に１回、自動通信テストを行う。自動通信テストは、所定の住警器から通信テスト信号を送信して他の住警器から通信テスト応答信号を送信させ、連続して３回、通信テスト応答信号が受信されない住警器が存在した場合に通信テスト異常と判断し、通信テスト異常警報を正常に通信できた全ての住警器から出力させる。
【００６２】
また、火災制御部４６は、電池切れを監視しており、電池電圧の低下等により電池切れを検出すると、連動元を示す電池切れ警報を出力すると共に電池切れ連動信号を他の住警器に送信して連動先を示す電池切れ警報を出力させる。
【００６３】
また、火災制御部４６は、回路異常等の機器故障を監視しており、機器故障を検出すると、連動元を示す機器故障警報を出力すると共に機器故障連動信号を他の住警器に送信して連動先を示す機器故障警報を出力させる。
【００６４】
［住警器アダプタ］
図４は住警器アダプタの機能構成を示したブロック図である。図４に示すように、住警器アダプタ１６はプロセッサ５０を備え、プロセッサ５０に対してはアンテナ５４を接続した通信部５２、ＣＥＣインタフェース５８及びＨＤＭＩ送信部６０が設けられ、ＣＥＣインタフェース５８及びＨＤＭＩ送信部６０はＨＤＭＩ端子５６に接続されている。
【００６５】
住警器アダプタ１６は図示しない電池電源で動作する。また、電池として充電可能なリチウムイオン電池等の二次電池を使用し、ＨＤＭＩケーブルによりテレビ装置１４側からのＤＣ電源の供給を受けて充電するようにしても良い。
【００６６】
プロセッサ５０には、ＣＰＵ６２が設けられ、ＣＰＵ６２からのバス６５に、制御ロジック６４、ＲＯＭ６６、ＲＡＭ６８が接続されている。
【００６７】
通信部５２は、図３の通信部３２と同じであり、４２６ＭＨｚ帯の特定小電力無線局の標準規格として知られたＳＴＤ−３０（特定小電力セキュリティシステム無線局の無線設備標準規格）の通信プロトコルに従って火災等の連動信号を送受信する。
【００６８】
ＣＰＵ６２にはプログラムの実行により実現されるアダプタ制御部７０の機能が設けられる。また、ＲＡＭ６８にはコンテンツ７２が予め記憶されている。ＲＡＭ６８のコンテンツ７２には、火災警報コンテンツ、火災警報停止コンテンツ、火災復旧コンテンツ、電池切れ警報コンテンツ、通信テスト異常コンテンツ及び機器故障警報コンテンツ等が含まれる。これらのコンテンツは、静止画、動画、音声を組み合わせた警報番組として予め作成されている。
【００６９】
ＣＥＣインタフェース５８とＨＤＭＩ送信部６０は、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）規格に従い、ＭＤＨＩケーブルを介してコントロール信号を伝送し、機器間の連携動作を実現する。
【００７０】
このうち家電制御として知られたＣＥＣは、ＨＤＭＩリンク上の全デバイスをデイジーチェーン接続したシングルラインに基づく独立した機能であり、ＣＥＣ対応のデバイスは、ＣＥＣライン上の全てのデバイスと情報を交換することができる。
【００７１】
住警器アダプタ１６とテレビ装置１４との間で双方向に送信される制御コマンドは、ＣＥＣプロトコルに準拠する。以下、ＣＥＣプロトコルに準拠した制御コマンドを「ＣＥＣコマンド」と呼ぶ。
【００７２】
ＣＰＵ６２に設けられたアダプタ制御部７０は、ＣＥＣ規格の共通コマンドとして提供されている「ワンタッチプレイ」の機能を利用し、例えば住警器１０から火災連動信号を受信した場合に、ＣＥＣインタフェース５８に指示して「ワンタッチプレイ」のコマンドをテレビ装置１４に送信し、これによりテレビ装置１４の電源オンや他のプレーヤー装置に対する入力切替えを行って転送経路を確定させ、テレビ装置１４から転送経路確定通知を受信した場合に、ＲＡＭ６８のコンテンツ７２の中から火災警報コンテンツを読み出してＨＤＭＩ送信部６０に指示し、ビデオとオーディオ及び各種のパケットデータを、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれる方式でテレビ装置１４に、ＨＤＭＩストリームとして転送する制御を行う。
【００７３】
また、アダプタ制御部７０は住警器１０から火災警報連動信号を受信した後に、警報停止連動信号を受信した場合、ＲＡＭ６８のコンテンツ７２の中から火災警報停止コンテンツを読み出してＨＤＭＩ送信部６０に指示し、ＨＤＭＩストリームとしてテレビ装置１４に転送する制御を行う。
【００７４】
また、アダプタ制御部７０は住警器１０から火災警報連動信号を受信した後に、火災復旧連動信号を受信した場合、ＲＡＭ６８のコンテンツ７２の中から火災復旧コンテンツを読み出してＨＤＭＩ送信部６０に指示し、ＨＤＭＩストリームとしてテレビ装置１４に転送する制御を行う。
【００７５】
また、アダプタ制御部７０は通常監視状態で、住警器１０から電池切れ連動信号、通信テスト異常連動信号又は機器故障連動信号を受信した場合、ＲＡＭ６８のコンテンツ７２の中から電池切れ警報コンテンツ、通信テスト異常コンテンツ又は機器故障警報コンテンツを読み出してＨＤＭＩ送信部６０に指示し、それぞれＨＤＭＩストリームとしてテレビ装置１４に転送する制御を行う。
【００７６】
［テレビ装置］
図５はテレビ装置の機能構成を示したブロック図である。図５に示すように、テレビ装置１４は、ＨＤＭＩ−ＣＥＣ規格のシンクとして機能し、ＣＰＵ７４のバス７５に、メモリ７６、チューナ７８、デコーダ８０、出力制御部８２、ＨＤＤ８４が接続されており、アンテナ受信信号をチューナ７８に入力してチャンネル選択したデジタル放送信号をデコーダで復調し、出力制御部８２により液晶カラーディスプレイ等の表示部８６とスピース８７に出力してテレビ放送を再生させている。
【００７７】
これに加えテレビ装置１４には、再生デバイス又は再生記録デバイスを接続するためのＨＤＭＩ端子として機能する３つのＨＤＭＩ端子９０−１〜９０−３が設けられ、ＣＰＵ７４のバス７５との間に、ＨＤＭＩ端子９０−１〜９０−３に対応してＣＥＣインタフェース９２−１〜９２−３とＨＤＭＩ受信部９４−１〜９４−３のペアが接続されている。なお、ＨＤＭＩ−ＣＥＣ規格では、再生デバイスには３つの論理アドレス（４，８，１１）が割り当てられていることから、テレビ装置１４には最大で３つのＨＤＭＩ端子９０−１〜９０−３が設けられている。
【００７８】
本実施形態では、テレビ装置１４のＨＤＭＩ端子９０−１に住警器アダプタ１６が接続され、残りのＨＤＭＩ端子９０−２，９０−３にプレーヤー装置１８−１，１８−２が接続されている。
【００７９】
図５に示すように、テレビ装置１４のＨＤＭＩ端子９０−１〜９０−３に住警器アダプタ１６及びプレーヤー装置１８−１，１８−２をＨＤＭＩケーブルにより接続すると、ＨＰＤ（Ｈｏｔ−Ｐｌｕｇ−Ｄｅｔｅｃｔ）として知られたホットプラグ検出機能により、シンクデバイスとなるテレビ装置１４とソースデバイスとなる住警器アダプタ１６及びプレーヤー装置１８−１，１８−２の間の起動時の通信シーケンスが開始され、テレビ装置１４は住警器アダプタ１６及びプレーヤー装置１８−１，１８−２の接続を認識し、例えば、ＨＤＭＩストリームの転送に必要な物理アドレスが設定される。
【００８０】
図６はテレビ装置、住警アダプタ、プレーヤー装置の物理アドレスの設定を示した説明図である。図６に示すように、テレビ装置１４の３つのＨＤＭＩ受信部９４−１，９４−２，９４−３には、物理アドレス（１．０．０．０）、（２．０．０．０）及び（３．０．０．０）が設定され、ＨＤＭＩケーブルにより住警器アダプタ１６及びプレーヤー装置１８−１，１８−２を接続してホットプラグ検出が行われると、住警器アダプタ１６のＨＤＭＩ送信部６０には物理アドレス（１．０．０．０）が設定され、プレーヤー装置１８−１，１８−２のＨＤＭＩ送信部９６，９８には物理アドレス（２．０．０．０）、（３．０．０．０）が設定される。
【００８１】
住警器アダプタ１６のワンタッチプレイは、住警器アダプタ１６がテレビ装置１４を映像データの表示を行うモードに変更し、テレビ装置１４の入力を住警器アダプタ１６に切り替える動作である。
【００８２】
また、テレビ装置１４の電源がスタンバイ状態である場合に、ワンタッチプレイが行われると、住警器アダプタ１６は、テレビ装置１４０の電源をスタンバイ状態からオン状態に変更する動作を行う。ワンタッチプレイが行われた場合、テレビ装置１４は、住警器アダプタ１６から受信した映像データを表示部８６に表示することができる状態となる。また、ワンタッチプレイが行われた場合、テレビ装置１４は、住警器アダプタ１６から受信した音声データをスピーカ８７から出力することができる状態となる。
【００８３】
ＣＥＣコマンドによるワンタッチプレイの概要は次のようになる。住警器アダプタ１６が火災連動信号を受信した場合、住警器アダプタ１６はＨＤＭＩ伝送路で接続された全機器に向けて＜Ａｃｔｉｖｅ  Ｓｏｕｒｃｅ＞ＣＥＣコマンドを送信する。＜Ａｃｔｉｖｅ  Ｓｏｕｒｃｅ＞ＣＥＣコマンドには、送信元となる住警器アダプタ１６の物理アドレス「１．０．０．０」が付加される。
【００８４】
テレビ装置１４は、＜Ａｃｔｉｖｅ  Ｓｏｕｒｃｅ＞ＣＥＣコマンドに付加されている住警器アダプタ１６の物理アドレス「１．０．０．０」物理アドレスを参照することで、入力切り替える。
【００８５】
この場合、＜Ａｃｔｉｖｅ  Ｓｏｕｒｃｅ＞ＣＥＣコマンドに付加されている物理アドレスが［１．０．０．０］なので、テレビ装置１４は左から１個目の数値「１」に従いＨＤＭＩ端子９０−１からの入力に切り替える。これにより住警器アダプタ１６から読み出し転送されたコンテンツを、テレビ装置１４を用いて自動的に受信再生することができる。
【００８６】
［テレビ装置のコンテンツ再生］
（火災警報画面）
図７はテレビ装置に表示される火災警報画面を示した説明図である。図７に示すように、テレビ装置１４は住警器アダプタ１６から火災警報用ＨＤＭＩストリームを受信すると、表示部８６に火災警報画面１００を表示する。
【００８７】
火災警報画面１００は、最上段に「火災です」の文字を表示し、その下の枠内に、「火災発生  ０４：１０  台所」として火災発生時刻と発生場所を表示し、その下に火災発生の対応として「火災です  落ち着いて火元を確認！」として最初にとるべき行動を示し、続いて「火災の場合は、避難と１１９番通報！」として火災を確認した場合にとるべき行動を示している。
【００８８】
また、火災警報画面１００の表示に合わせて音声メッセージとして例えば「火災です  台所の警報器が作動しました  落ち着いて火元を確認してください  火災の場合は避難と１１９番通報をします」を繰り返し出力する。
【００８９】
このような火災警報画面１００がテレビ装置１４に住警器１０による火災検出に連動して表示され、併せて音声メッセージが出力されることで、住警器１０のスピーカと動作表示灯とによる警報出力に比べ利用者に対する火災警報の伝達が各段に強化され、利用者は、落ち着いて火元を確認し、火災であった場合は１１９番通報をした後に速やかに避難するといった適切な行動を迅速にとることが可能となる。
【００９０】
（警報停止画面）
図８はテレビ装置に表示される警報停止画面を示した説明図である。図８に示すように、テレビ装置１４は図７の火災警報画面１００が再生中に、住警器アダプタ１６から火災警報停止コンテンツのＨＤＭＩストリームを受信すると、表示部８６に火災警報停止画面１０２を表示する。
【００９１】
火災警報停止画面１０２は、最上段に「火災警報を停止しました」の文字を表示し、火災警報の停止操作は火災であっても行われる可能性があることから、その下の枠内の警報停止時刻と発生場所を示す表示と、火災発生に対する対応行動の表示は、図７の火災警報画面１００と同じまま残している。
【００９２】
また、火災警報停止画面１０２の表示に合わせて音声メッセージとして例えば「火災警報の停止操作が行われました  落ち着いて火元を確認してください  火災の場合は避難と１１９番通報をします」を繰り返し出力する。
【００９３】
このような火災警報停止画面１０２がテレビ装置１４に住警器１０による火災警報の停止操作に連動して表示され、併せて音声メッセージが出力されることで、例えば離れた場所の住警器が別の利用者により操作された場合、テレビ装置１４の火災警報停止画面１０２から警報停止を知って状況を正確に把握できる。
【００９４】
（火災復旧画面）
図９はテレビ装置に表示される火災復旧報画面を示した説明図である。図９に示すように、テレビ装置１４は図７の火災警報画面１００が再生中に、住警器アダプタ１６から火災復旧コンテンツのＨＤＭＩストリームを受信すると、表示部８６に火災復旧画面１０４を表示する。
【００９５】
火災復旧画面１０４は、非火災要因により住警器が誤動作した可能性が高いことから、最上段に「火災警報を停止しました」の文字を表示し、その下の枠内に「火災復旧  ０４：１５  台所」として火災復旧時刻と復旧場所を示し、その下に「火災以外の原因で警報器で動作しました  火災以外の煙や湯気が発生している場合は、窓を開けるか換気扇を回すなどして換気してください」とする非火災報に対する対処方法を表示している。
【００９６】
また、火災復旧画面１０４の表示に合わせて音声メッセージとして例えば「火災以外の原因で警報器で動作しました。火災以外の煙や湯気が発生している場合は、窓を開けるか換気扇を回すなどして換気してください。」を繰り返し出力する。
【００９７】
このような火災復旧画面１０４がテレビ装置１４に住警器１０の火災復旧に連動して表示され、併せて音声メッセージが出力されることで、利用者は火災でなかったことに安心し、落ち着いて住警器が作動した部屋の換気等の対応行動を適切にとることができる。
【００９８】
（電池切れ警報画面）
図１０はテレビ装置に表示される電池切れ警報画面を示した説明図である。図１０に示すように、テレビ装置１４は通常監視状態で、住警器アダプタ１６から電池切れ警報コンテンツのＨＤＭＩストリームを受信すると、表示部８６に電池切れ警報画面１０６を表示する。
【００９９】
電池切れ警報画面１０６は、最上段に「電池切れです」の文字を表示し、その下の枠内に「電池切れ  ０６：５５  台所」として電池切れの検出時刻と発生場所を示し、その下に「電池寿命が近づいています  交換方法の動画に従って警報器本体の電池を交換してください」とする電池切れに対する対処方法を表示している。
【０１００】
更に、本実施形態にあっては、電池切れ警報画面１０６を所定時間表示した後に、警報器本体の電池交換の手順を示す説明文入りの動画が再生され、電池切れ警報画面１０６の表示と動画表示が繰り返し行われる。
【０１０１】
また、電池切れ警報画面１０６の表示に合わせて音声メッセージとして例えば「電池寿命が近づいています  交換方法の動画に従って警報器本体の電池を交換してください」を出力する。
【０１０２】
このような電池切れ警報画面１０６と電池交換の動画がテレビ装置１４に住警器１０の火災復旧に連動して表示され、併せて音声メッセージが出力されることで、利用者は住警器の電池切れが近づいていることを知り、動画を見ることにより間違いなく警報器本体のカバーを開いて電池切れを起こした電池を外し、新しい電池に交換する作業を誤りなく行うことができる。
【０１０３】
なお、テレビ装置１４は、電池切れ警報画面１０６と動画の再生は、例えば夜の９時から朝の８時までの時間帯は警報禁止時間帯に設定し、それ以外の時間帯に住警器アダプタ１６に転送経路確定通知を送信して再生出力させるようにしても良い。
【０１０４】
（通信テスト異常画面）
図１１はテレビ装置に表示される通信テスト異常画面を示した説明図である。図１１に示すように、テレビ装置１４は通常監視状態で、住警器アダプタ１６から通信テスト異常コンテンツのＨＤＭＩストリームを受信すると、表示部８６に通信テスト異常画面１０８を表示する。
【０１０５】
通信テスト異常画面１０８は、最上段に「通信テスト異常です」の文字を表示し、その下の枠内に「通信テスト異常  １９：４４」として通信テスト異常の検出時刻を示し、住警器の警報動作状態として「１０秒毎に動作表示灯が点滅  １時間に１回、通信テスト異常の警報音を出力」を示している。
【０１０６】
続いて、通信テスト異常を起こしている住警器の捜し方として「電波の届いていない警報器があります  動作表示灯の消灯している警報器を捜し、設置場所を変えて下さい」とする表示が行われる。
【０１０７】
また、通信テスト異常画面１０８の表示に合わせて音声メッセージとして例えば「電波の届いていない警報器があります  動作表示灯の消灯している警報器を捜し出し、設置場所を変えて下さい」を出力する。
【０１０８】
このような通信テスト異常画面１０８がテレビ装置１４に住警器１０の通信テスト異常の検出に連動して表示され、併せて音声メッセージが出力されることで、利用者は電波の届いていない住警器があることを知り、動作表示灯が消灯している住警器を捜し出し、近くに物が置かれていたら、それをどかすか、或いは、住警器の設置場所を変えることで、通信テスト異常を解消可能とする。
【０１０９】
なお、テレビ装置１４は、通信テスト異常画面１０８の再生を、例えば夜の９時から朝の８時までの時間帯は警報禁止時間帯に設定し、それ以外の時間帯に住警器アダプタ１６に転送経路確定通知を送信して再生出力させるようにしても良い。
【０１１０】
（機器故障警報画面）
図１２はテレビ装置に表示される機器故障警報画面を示した説明図である。図１２に示すように、テレビ装置１４は通常監視状態で、住警器アダプタ１６から機器故障警報コンテンツのＨＤＭＩストリームを受信すると、表示部８６に機器故障警報画面１１０を表示する。
【０１１１】
機器故障警報画面１１０は、最上段に「警報器の故障です」の文字を表示し、その下の枠内に「警報器故障  ０６：５５」として機器故障の検出時刻を示し、住警器の警報動作状態として「１０秒毎に動作表示灯が点滅  １時間に１回、故障警報音を出力」を示している。
【０１１２】
続いて、故障した住警器の対応方法として「故障した警報器があります  故障している警報器を捜し、新品と交換してください」とする表示が行われる。
【０１１３】
また、機器故障警報画面１１０との表示に合わせて音声メッセージとして例えば「故障した警報器があります  故障している警報器を捜し、新品と交換してください」を出力する。
【０１１４】
このような機器故障警報画面１１０がテレビ装置１４に住警器１０の機器故障の検出に連動して表示され、併せて音声メッセージが出力されることで、故障した住警器があることを知り、動作表示灯が点滅している住警器を捜し出し、新品を準備して交換するといった対応が可能となる。
【０１１５】
なお、テレビ装置１４は、機器故障警報画面１１０の再生を、例えば夜の９時から朝の８時までの時間帯は警報禁止時間帯に設定し、それ以外の時間帯に住警器アダプタ１６に転送経路確定通知を送信して再生出力させるようにしても良い。
【０１１６】
［住警器アダプタの制御動作］
図１３は住警器アダプタの制御動作を示したフローチャートであり、図４に示したＣＰＵ６２に設けられたアダプタ制御部７０による制御動作となる。
【０１１７】
図１３に示すように、アダプタ制御部７０は、ステップＳ１で住警器１０からの火災連動信号の受信を判別するとステップＳ２に進み、ワンタッチプレイのＣＥＣコマンドをテレビ装置１４に対し行い、テレビ装置１４からの転送経路確定通知（ＡＣＫ）を受けてステップＳ３で住警器アダプタ１６からテレビ装置１４に至るＨＤＭＩ伝送路による転送経路が確定される。
【０１１８】
続いて、アダプタ制御部７０はステップＳ４でＲＡＭ６８のコンテンツ７２の中から火災警報コンテンツを読み出してテレビ装置１４にＨＤＭＩストリームとして転送し、図７に示したように、火災警報画面１００及びその音声メッセージを再生させる。
【０１１９】
続いてアダプタ制御部７０はステップＳ５で住警器１０からの警報停止連動信号の受信を判別するとステップＳ６に進み、ＲＡＭ６８のコンテンツ７２の中から火災警報停止用コンテンツを読み出してテレビ装置１４にＨＤＭＩストリームとして転送し、図８に示したように、火災警報停止画面１０２及びその音声メッセージを再生させる。
【０１２０】
また、アダプタ制御部７０はステップＳ７で住警器１０からの火災復旧連動信号の受信を判別するとステップＳ８に進み、ＲＡＭ６８のコンテンツ７２の中から火災復旧コンテンツを読み出してテレビ装置１４にＨＤＭＩストリームとして転送し、図９に示したように、火災復旧画面１０４及びその音声メッセージを再生させる。
【０１２１】
続いて、アダプタ制御部７０はステップＳ９で、例えばテレビ装置１４のリモコン装置を使用した停止操作等によるコンテンツの再生終了を判別するとステップＳ１に戻る。また、コンテンツに所定の時間を設定し所定時間経過によりコンテンツの再生終了とみなしても良い。また、コンテンツの自動終了の有無に関わらず、コンテンツの再生終了時は、テレビ装置１４による表示を自動でコンテンツ転送要求前に表示していた放送もしくは機器の表示に戻すようにしても良い。
【０１２２】
一方、アダプタ制御部７０は通常監視状態ではステップＳ１，Ｓ１０をループしており、ステップＳ１０で住警器１０から電池切れ、通信テスト異常又は機器故障の障害連動信号の受信を判別するとステップＳ１１に進み、ステップＳ２と同様に、ワンタッチプレイのＣＥＣコマンドをテレビ装置１４に送信し、テレビ装置１４からの転送経路確定通知（ＡＣＫ）を受けてステップＳ１２で住警器アダプタ１６からテレビ装置１４に至るＨＤＭＩ転送経路が確定される。
【０１２３】
続いて、アダプタ制御部７０はステップＳ１３に進み、ＲＡＭ６８のコンテンツ７２の中から障害警報コンテンツを読み出してテレビ装置１４にＨＤＭＩストリームとして転送し、図１０〜図１２に示したように、電池切れ警報画面１０６とその動画、通信テスト異常画面１０８又は機器故障警報画面１１０とそれぞれの音声メッセージを再生させる。
【０１２４】
［テレビ装置の制御動作］
図１４はテレビ装置の制御動作を示したフローチャートであり、図５に示したテレビ装置１４に設けられたＣＰＵ７４による制御動作となる。
【０１２５】
図１４に示すように、テレビ装置１４のＣＰＵ７４は、ステップＳ２１でプレーヤー装置１８−１，１８−２の再生又は記録再生するための通常のＨＤＭＩ−ＣＥＣ制御を行なっている。
【０１２６】
続いて、ＣＰＵ７４はステップＳ２２に進み、住警器アダプタ１６からワンタッチプレイのＣＥＣコマンドの受信を判別するとステップＳ２３に進み、テレビ装置１４の電源オフを判別した場合はステップＳ２４に進んでテレビ装置１４の電源をオンし、また、ステップＳ２５で例えばプレーヤー装置１８−１の再生中を判別した場合はステップＳ２６に進んでプレーヤー装置１８−１の再生を停止して住警器アダプタ１６に切替え、ステップＳ２７で住警器アダプタ１６に対し転送経路確定通知を送信し、コンテンツの転送を開始させる。
【０１２７】
続いて、ＣＰＵ７４はステップＳ２８で住警器アダプタ１６から転送されたＨＤＭＩストリームを受信してコンテンツを再生し、再生中にステップＳ２９で住警器アダプタ１６の再生終了を判別するとステップＳ１の処理に戻る。
【０１２８】
〔ＨＤＭＩ切替器を用いた警報システム〕
図１５はＨＤＭＩ切替器を用いた警報システムの概略を示した説明図、図１６はＨＤＭＩ切替器の機能構成をテレビ装置と共に示したブロック図、図１７はテレビ装置、ＨＤＭＩ切替器、住警アダプタ、プレーヤー装置の物理アドレスの設定を示した説明図である。
【０１２９】
図１５に示すように、本実施形態の警報システムにあっては、居間に設置されたテレビ装置１４に、プレーヤー装置１８−１〜１８−３に住警器アダプタ１６を加えた４台のソースデバイスの接続を予定しているが、テレビ装置１４でソースデバイスを接続するＨＤＭＩ端子は３つしかないことから、２台のプレーヤー装置１８−１，１８−２はテレビ装置１４の２つのＨＤＭＩ端子の各々に接続するが、住警器アダプタ１６とプレーヤー装置１８−３の２台はＨＤＭＩ切替器１１２を介してテレビ装置１４の残り１つのＨＤＭＩ端子に接続している。
【０１３０】
ＨＤＭＩ切替器１１２は図１６に示すように、ＣＰＵ１１４に対し２入力となるＣＥＣインタフェース１１８−１，１１８−２とＨＤＭＩ受信部１２０−１，１２−２のペアを接続したＨＤＭＩ端子１１６−１，１１６−２に住警器アダプタ１６とプレーヤー装置１８−３をＨＤＭＩケーブルで接続し、また、ＣＰＵ１１４に対し１出力となるＣＥＣインタフェース１２４とＨＤＭＩ送信部１２６のペアを接続したＨＤＭＩ端子１２２をＨＤＭＩケーブルによりテレビ装置１４のＨＤＭＩ端子９０−１に接続している。
【０１３１】
ＨＤＭＩ切替器１１２のＣＰＵ１１４にはプログラムの実行により実現される切替制御部１２８としての機能が設けられる。
【０１３２】
テレビ装置１４にＨＤＭＩ切替器１１２を介して住警器アダプタ１６とプレーヤー装置１８−３をＨＤＭＩケーブルにより接続すると、テレビ装置１４のＣＰＵ７４によるホットプラグ検出機能により、シンクデバイスとなるテレビ装置１４とソースデバイスとなるプレーヤー装置１８−１，１８−２とＨＤＭＩ切替器１１２を介して接続された住警器アダプタ１６とプレーヤー装置１８−３の間の起動時の通信シーケンスが開始され、テレビ装置１４はプレーヤー装置１８−１，１８−２、ＨＤＭＩ切替器１１２、住警器アダプタ１６及びプレーヤー装置１８−３の接続を認識し、図１７に示すように、ＨＤＭＩストリームの転送に必要な物理アドレスが設定される。
【０１３３】
図１７に示す物理アドレスは、プレーヤー装置１８−１，１８−２については、図６と同じであるが、住警器アダプタ１６のＨＤＭＩ送信部６０には物理アドレス（１．１．０．０）が設定され、プレーヤー装置１８−３のＨＤＭＩ送信部１３０には物理アドレス（１．２．０．０）が設定され、ＨＤＭＩ切替器１１２のＨＤＭＩ受信部１２０−１に物理アドレス（１．１．０．０）が設定され、ＨＤＭＩ受信部１２０−２には物理アドレス（１．２．０．０）が設定され、更に、ＨＤＭＩ送信部１２６には物理アドレス（１．０．０．０）が設定される。
【０１３４】
このため住警器アダプタ１６が住警器から火災連動信号を受信してワンタッチプレイのＣＥＣコマンドを送信すると、ＨＤＭＩ切替器１１２の切替制御部１２８はＨＤＭＩ送信部１２６に対する入力経路をＨＤＭＩ受信部１２０−１に切替え、同じ物理アドレス（１．１．０．０）をもつ住警器アダプタ１６のＨＤＭＩ送信部６０とＨＤＭＩ切替器１１２のＨＤＭＩ受信部１２０−１の間と、同じ物理アドレス（１．０．０．０）を持つＨＤＭＩ切替器１１２のＨＤＭＩ送信部１２６とテレビ装置１４のＨＤＭＩ受信部９４−１との間に、ＨＤＭＩ切替器１１２のＣＰＵ１１４をスルーしたＨＤＭＩストリームの転送経路が自動的に確立され、住警器アダプタ１６から火災警報コンテンツ等をテレビ装置１４に読み出し転送して再生させることができる。
【０１３５】
なお、ＨＤＭＩ切替器１１２としては、２入力の自動切替え機能を備えた市販の機器を使用することができる。また、ＨＤＭＩ切替器１１２は２入力１出力以外に、更に入力数の多いものが使用できる。
【０１３６】
また、テレビ装置１４にＨＤＭＩ切替器１１２を内蔵させても良く、この場合には、テレビ装置１４はソースデバイスを接続するＨＤＭＩ端子を実質的に４つ備えた拡張機能を持つことになり、テレビ装置１４のＨＤＭＩ端子に最大３台のプレーヤー装置１８−１〜１８−３に加え、４台目として住警器アダプタ１６を直接接続できる。
【０１３７】
〔本発明の変形例〕
（ＨＤＭＩ−ＣＥＣコマンド）
上記の実施形態は、住警器アダプタからワンタッチプレイの共通ＣＥＣコマンドをテレビ装置に送信して送信経路を自動的に確立してコンテンツのＨＤＭＩストリームを転送して再生させているが、本発明はこれに限定されず、共通コマンド以外の他の所定のＣＥＣコマンドによるワンタッチプレイをテレビ装置に対して行うようにしても良い。
【０１３８】
（スタンドアロン型の火災警報器）
上記の実施形態は、無線式の連動型住警器を例にとっているが、無線式連動機能を備えないスタンドアロン型の住警器については、住警器の移報出力を住警器アダプタに信号線接続し、火災移報信号に加え警報停止移報信号、火災復旧移報信号、電池切れ、通信テスト異常又は機器故障の障害移報信号を住警器アダプタに出力するように構成することで、移報信号の種別に対応したコンテンツを読み出してＨＤＭＩストリームとしてテレビ装置に転送して再生させることができる。
【０１３９】
（親子方式）
上記の実施形態は、住戸内に複数の警報器を設置して連動グループを形成する場合、親機／子機の区別が無くそれぞれの警報器が相互に通信するものであるが、親機と複数の子機を設けて連動グループを形成し、各グループの親機に中継器の機能を持たせ、異なるグループの親機同士の間で連動警報のための通信を行うようにし、親機からの連動信号を住警器アダプタで受信した場合に、連動信号の種別に対応したコンテンツを読み出してＨＤＭＩストリームとしてテレビ装置に転送して再生させるようにしても良い。
【０１４０】
（警報器）
上記の実施形態は、火災を検知して警報する無線式の住警器を例にとるものであったが、住警器以外の無線式の火災警報器、ガス漏れ警報器、ＣＯ警報器、各種の防犯用警報器、並びにドアホン等のセキュリティ機器を配置した警報システムやそれら警報器を複合的に含むシステムについても同様に適用できる。
【０１４１】
また、警報器は種類に応じて送出する無線信号を異ならせ、アダプタは受信した無線信号に応じて送出するＨＤＭＩストリームを変更することによって、警報器の種類に応じて表示内容を異ならせるようにしても良い。
【０１４２】
また、上記の実施形態は無線式の警報器にセンサ部と警報出力処理部を一体に設けた場合を例にとるが、他の実施形態として、センサ部と警報出力処理部を別体とした無線式の警報器であっても良い。
【０１４３】
（その他）
上記の実施形態は、ＨＤＭＩ切替器と住警器アダプタを別体としていたが、ＨＤＭＩ切替器と住警器アダプタを一体としても良い。住警器アダプタ側の機能により住警器の表示内容を表示するようにコンテンツ転送要求が発生したとき、ＨＤＭＩ切替器はその時点で表示している物理アドレスを記憶しておき、コンテンツの再生終了時に、記憶していた物理アドレスに基づき、コンテンツ転送要求前に表示していた機器の表示に戻すようにしても良い。
【０１４４】
また、表示装置はテレビに限られず、モニタやインターホン表示器等の適宜の表示手段を取っても良い。
【０１４５】
上記の実施形態は、アダプタは警報器からの信号を受信し表示するものだったが、警報器への信号を送信するものとしても良い。アダプタは警報器に対し、試験信号、時刻設定信号、グループ設定信号等の適宜の信号を送信し、警報器の遠隔操作や設定変更を行う。アダプタはリモコン等で適宜の操作を受け付け、操作内容を表示装置で表示することが好適である。
【０１４６】
また、本発明は上記の実施形態に限定されず、その目的と利点を損なうことのない適宜の変形を含み、更に上記の実施形態に示した数値による限定は受けない。
【符号の説明】
【０１４７】
１０，１０−１〜１０−５：住警器
１２：住宅
１４：テレビ装置
１６：住警器アダプタ
１８−１〜１８−３：プレーヤー装置
１９：本体
２０：カバー
２２：テストスイッチ
２４：動作表示灯
２８：検煙部
３０，５０：プロセッサ
３２，５２：通信部
３６：スピーカ
３８，６２，７４，１１４：ＣＰＵ
４６：火災制御部
５６，９０−１〜９０−３，１１６−１，１１６−２，１２２：ＨＤＭＩ端子
５８，９２−１〜９２−３，１１８−１，１１８−２：ＣＥＣインタフェース
６０，９６，９８，１２６，１３０：ＨＤＭＩ送信部
７０：アダプタ制御部
７２：コンテンツ
８６：表示部
９４−１〜９４−３，１２０−１，１２０−２：ＨＤＭＩ受信部
１００：火災警報画面
１０２：警報停止画面
１０４：火災復旧画面
１０６：電池切れ警報画面
１０８：通信テスト異常画面
１１０：機器故障警報画面
１１２：ＨＤＭＩ切替器
１２８：切替制御部
【図１】
2019061351.tif 000003
【図２】
2019061351.tif 000004
【図３】
2019061351.tif 000005
【図４】
2019061351.tif 000006
【図５】
2019061351.tif 000007
【図６】
2019061351.tif 000008
【図７】
2019061351.tif 000009
【図８】
2019061351.tif 000010
【図９】
2019061351.tif 000011
【図１０】
2019061351.tif 000012
【図１１】
2019061351.tif 000013
【図１２】
2019061351.tif 000014
【図１３】
2019061351.tif 000015
【図１４】
2019061351.tif 000016
【図１５】
2019061351.tif 000017
【図１６】
2019061351.tif 000018
【図１７】
2019061351.tif 000019